(57)【要約】【課題】二次電池を使用する端末装置において、ユーザの接触時のやけどや熱による不快感を回避するとともに、充電中の通話等ができなくなる不具合の発生可能性を低減する。【解決手段】端末装置に人体を接触させる接触使用状態か、或いは接触させない非接触使用状態かを判定する使用状態判定機能（ステップＳ１４）と、端末装置の温度が人体を高温から保護するための規定値に比べて高くなると充電を停止する温度保護機能（ステップＳ２２、Ｓ２３、Ｓ２４、Ｓ２５）と、非接触使用状態であると判定されていて端末装置が持ち上げられたことが検知されていない場合には、温度保護機能を無効とし、非接触使用状態であると判定されている状態で端末装置が持ち上げられたことが検知された場合、及び、接触使用状態であると判定されている場合には、温度保護機能を有効とする充電制御機能（ステップＳ１３、Ｓ１６、Ｓ１７）と、を設ける。【選択図】  図４
2013153244.tif 000002
【特許請求の範囲】
【請求項１】
二次電池によって電力供給が可能な端末装置であって、
当該端末装置の温度を検知するための温度検出手段と、
当該端末装置が持ち上げられたことを検知するための持ち上げ検出手段と、
当該端末装置の高温となる部分に人体を接触させる可能性のある接触使用状態か、或いは前記高温となる部分に人体を接触させない非接触使用状態かを判定する使用状態判定手段と、
温度保護機能が有効である場合において、前記二次電池の充電中に、前記温度検出手段により検知される温度が人体を高温から保護するための規定値に比べて高くなると当該充電を停止する温度保護手段と、
前記使用状態判定手段により非接触使用状態であると判定されていて、前記持ち上げ検出手段により当該端末装置が持ち上げられたことが検知されていない場合には、前記温度保護機能を無効とし、前記使用状態判定手段により非接触使用状態であると判定されている状態で、前記持ち上げ検出手段により当該端末装置が持ち上げられたことが検知された場合には、前記温度保護機能を有効とし、前記使用状態判定手段により接触使用状態であると判定されている場合には、前記温度保護機能を有効とする充電制御手段と、
を備えることを特徴とする端末装置。
【請求項２】
前記接触使用状態は、ユーザがユーザの耳を当該端末装置における受話器の位置に接触又は接近させて通話を行う本体通話状態であり、前記非接触使用状態は、イヤホンによる通話又はハンズフリー通話であることを特徴とする請求項１に記載の端末装置。
【請求項３】
当該端末装置において当該端末装置をユーザが持ち上げるためにユーザが手で持つ部分は、前記受話器の位置に比べて、当該端末装置内の発熱部からの距離が長く設定されていることを特徴とする請求項２に記載の端末装置。
【請求項４】
二次電池によって電力供給が可能な端末装置における前記二次電池の充電制御方法であって、
当該端末装置の高温となる部分に人体を接触させる可能性のある接触使用状態か、或いは前記高温となる部分に人体を接触させない非接触使用状態かを判定する使用状態判定ステップと、
温度保護機能が有効である場合において、前記二次電池の充電中に、当該端末装置の温度が人体を高温から保護するための規定値に比べて高くなると当該充電を停止する温度保護ステップと、
前記使用状態判定ステップにより非接触使用状態であると判定されていて、当該端末装置が持ち上げられたことが検知されていない場合には、前記温度保護機能を無効とし、前記使用状態判定ステップにより非接触使用状態であると判定されている状態で、当該端末装置が持ち上げられたことが検知された場合には、前記温度保護機能を有効とし、前記使用状態判定ステップにより接触使用状態であると判定されている場合には、前記温度保護機能を有効とする充電制御ステップと、
を有することを特徴とする充電制御方法。
【請求項５】
二次電池によって電力供給が可能な端末装置におけるコンピュータに対して、
当該端末装置の高温となる部分に人体を接触させる可能性のある接触使用状態か、或いは前記高温となる部分に人体を接触させない非接触使用状態かを判定する使用状態判定機能と、
前記二次電池の充電中に、当該端末装置の温度が人体を高温から保護するための規定値に比べて高くなると当該充電を停止する温度保護機能と、
前記使用状態判定機能により非接触使用状態であると判定されていて、当該端末装置が持ち上げられたことが検知されていない場合には、前記温度保護機能を無効とし、前記使用状態判定機能により非接触使用状態であると判定されている状態で、当該端末装置が持ち上げられたことが検知された場合には、前記温度保護機能を有効とし、前記使用状態判定機能により接触使用状態であると判定されている場合には、前記温度保護機能を有効とする充電制御機能と、
を実現させるためのプログラム。
【発明の詳細な説明】
【技術分野】
【０００１】
本発明は、端末装置の充電制御に関する。
【背景技術】
【０００２】
従来、二次電池を備える携帯電話機などの端末装置としては、例えば特許文献１や特許文献２に記載されたものがある。特許文献１は、装置の温度がしきい値を超えると、やけど防止のために充電を停止し、一定時間以上人体の接触を検出すると、前記しきい値を低温やけど防止用の値に切り替えるというものである。また特許文献２は、タッチセンサー、加速度センサー、及び燃料電池（二次電池の充電用としても使用されるもの）を有する携帯端末であって、前記センサーによりユーザが当該携帯端末を手に持っていることが検知されると、前記燃料電池の発電を禁止するというものである。
【先行技術文献】
【特許文献】
【０００３】
【特許文献１】特開２０１０−１２４２４６号公報
【特許文献２】特開２００７−０１４０６８号公報
【発明の概要】
【発明が解決しようとする課題】
【０００４】
ところで、ユーザの接触時のやけどや熱による不快感を回避するために、上記特許文献１のように装置温度がしきい値を超えると充電を一律に停止してしまう方法があるが、この方法では次のような問題がある。即ち、例えばユーザが充電器（ＡＣアダプタなど）を端末装置に接続して充電している状態で、イヤホン通話又はハンズフリー通話による通話（人体を高温部に接触させない通話）を開始し、通話と充電による発熱により端末装置の温度がしきい値を超えた場合、人体を高温部に接触させない通話であるにもかかわらず端末装置の機能で充電が停止されてしまう。そのためこのような場合、端末装置の二次電池が消耗すると、充電器が接続されているにもかかわらず、端末装置が電源オフして通話などができなくなってしまう虞があった。
また、ユーザの接触時のやけどや熱による不快感を回避する方法として、上記特許文献２の技術に基づいて、ユーザが端末装置を持ったこと（或いは端末装置に接触したこと）が検出されたときに充電を停止する方法が考えられる。しかし、ユーザが例えば端末装置を持っただけで（或いは端末装置に接触しただけで）充電を停止すると、高温になっていない場合でも端末装置の充電が停止されてしまい、やはり二次電池が消耗して通話ができないなどの不具合が生じる可能性が相当ある。
【０００５】
そこで本発明は、二次電池を備えた端末装置において、ユーザの接触時のやけどや熱による不快感を回避するとともに、充電中の使用（例えば、通話）ができなくなる不具合の発生可能性を低減することを目的とする。
【課題を解決するための手段】
【０００６】
本発明の端末装置は、
二次電池によって電力供給が可能な端末装置であって、
当該端末装置の温度を検知するための温度検出手段と、
当該端末装置が持ち上げられたことを検知するための持ち上げ検出手段と、
当該端末装置の高温となる部分に人体を接触させる可能性のある接触使用状態か、或いは前記高温となる部分に人体を接触させない非接触使用状態かを判定する使用状態判定手段と、
温度保護機能が有効である場合において、前記二次電池の充電中に、前記温度検出手段により検知される温度が人体を高温から保護するための規定値に比べて高くなると当該充電を停止する温度保護手段と、
前記使用状態判定手段により非接触使用状態であると判定されていて、前記持ち上げ検出手段により当該端末装置が持ち上げられたことが検知されていない場合には、前記温度保護機能を無効とし、前記使用状態判定手段により非接触使用状態であると判定されている状態で、前記持ち上げ検出手段により当該端末装置が持ち上げられたことが検知された場合には、前記温度保護機能を有効とし、前記使用状態判定手段により接触使用状態であると判定されている場合には、前記温度保護機能を有効とする充電制御手段と、
を備えることを特徴とする。
【０００７】
本発明の充電制御方法は、
二次電池によって電力供給が可能な端末装置における前記二次電池の充電制御方法であって、
当該端末装置の高温となる部分に人体を接触させる可能性のある接触使用状態か、或いは前記高温となる部分に人体を接触させない非接触使用状態かを判定する使用状態判定ステップと、
温度保護機能が有効である場合において、前記二次電池の充電中に、当該端末装置の温度が人体を高温から保護するための規定値に比べて高くなると当該充電を停止する温度保護ステップと、
前記使用状態判定ステップにより非接触使用状態であると判定されていて、当該端末装置が持ち上げられたことが検知されていない場合には、前記温度保護機能を無効とし、前記使用状態判定ステップにより非接触使用状態であると判定されている状態で、当該端末装置が持ち上げられたことが検知された場合には、前記温度保護機能を有効とし、前記使用状態判定ステップにより接触使用状態であると判定されている場合には、前記温度保護機能を有効とする充電制御ステップと、
を有することを特徴とする。
【０００８】
本発明のプログラムは、
二次電池によって電力供給が可能な端末装置におけるコンピュータに対して、
当該端末装置の高温となる部分に人体を接触させる可能性のある接触使用状態か、或いは前記高温となる部分に人体を接触させない非接触使用状態かを判定する使用状態判定機能と、
前記二次電池の充電中に、当該端末装置の温度が人体を高温から保護するための規定値に比べて高くなると当該充電を停止する温度保護機能と、
前記使用状態判定機能により非接触使用状態であると判定されていて、当該端末装置が持ち上げられたことが検知されていない場合には、前記温度保護機能を無効とし、前記使用状態判定機能により非接触使用状態であると判定されている状態で、当該端末装置が持ち上げられたことが検知された場合には、前記温度保護機能を有効とし、前記使用状態判定機能により接触使用状態であると判定されている場合には、前記温度保護機能を有効とする充電制御機能と、
を実現させるためのプログラムである。
【発明の効果】
【０００９】
本発明によれば、ユーザの接触時のやけどや熱による不快感を回避するとともに、充電中の使用（例えば、通話）ができなくなる不具合の発生可能性を低減することができる。
【図面の簡単な説明】
【００１０】
【図１】実施形態である携帯電話機の外観図であり、（ａ）は主面側斜視図、（ｂ）は裏面図である。
【図２】前記携帯電話機の概念的な内部ブロック図である。
【図３】前記携帯電話機の温度保護制御を開始又は終了する制御処理を説明するフローチャートである。
【図４】前記携帯電話機の温度保護制御の処理を説明するフローチャートである。
【図５】（ａ）は付記１の構成を示すブロック図であり、（ｂ）は比較例の構成を示す図である。
【発明を実施するための形態】
【００１１】
（第１実施形態）
以下、本発明の第１実施形態（本発明を携帯電話機に適用した例）を、図面を参照しながら説明する。
図１（ａ）は、本実施形態に係る携帯電話機１の主面側斜視図であり、図１（ｂ）は裏面図である。図１（ａ）に示すように、携帯電話機１は、筐体２の主面（表面であって主たる操作対象となる面のこと）にタッチパネル３を設けるとともに、そのタッチパネル３の背面に液晶ディスプレイやＥＬパネルなどの表示デバイスからなる表示部４を設けている。また、そのタッチパネル３の上辺近くに受話器としてのスピーカ５ａやインカメラ７を設け、さらに、そのタッチパネル３の下辺近くにキー１２ａ，１２ｂ，１２ｃを設けている。
【００１２】
ここで、「近く」とは、少なくとも筐体２の主面の端からタッチパネル３の端までの間のいわゆる額縁内の任意の位置のことをいう。筐体２は、回路基板等（例えば後述するメイン基板など）の内蔵部品を収納して携帯電話機１の表面を構成するフレームであり、手持ちに適した形状、この場合、薄い直方体状の箱形となっている。キー１２ａ，１２ｂ，１２ｃは、利用者が押下する操作ボタンであり、それぞれ、例えばメニューを表示させるためのメニューキー、デスクトップ（初期画面）を表示させるホームキー、一つ前の画面に戻すための戻るキーである。また、図１（ａ）における符号６は、筐体２の下端面に設けられた送話器としてのマイクを示し、符号１７は、筐体２の側端面に設けられたバッテリ充電用端子である。
【００１３】
なお、筐体２の任意部分に、電源ボタンやイヤホン接続用の端子なども設けられているが、図では省略している。また図示省略しているが、筐体２の任意部分に、着脱可能なカード型メモリを装着する装着部（スロット）が設けられていてもよい。
【００１４】
次に図１（ｂ）に示すように、筐体２の裏面（主面と反対側の面）には、着信音やアラーム或いは楽音などを出力するためのスピーカ５ｂ、アウトカメラ１３、電池パック２０を装着できる収納凹部２ａ（電池装着部）が形成されている。収納凹部２ａは、電池パック２０を覆うようにカバー２ｂによって閉じることが可能となっており、カバー２ｂは筐体２の一部を構成している。ここで、図１（ｂ）において点線（半線）で示す領域３１，３２，３３は、それぞれ、受話器５ａ（レシーバ）が内部に配置されるレシーバ領域３１、メイン基板が内部に配置されるメイン基板領域３２、電池パック２０が内部に装着される電池パック領域３３を示している。ここで、当該携帯電話機１において当該携帯電話機１をユーザが持ち上げるためにユーザが手で持つ部分は、筐体２の下部（即ち、電池パック領域３３の位置）であり、受話器５ａが配置される位置（即ち、レシーバ領域３１の位置）に比べて、発熱部であるメイン基板領域３２からの距離が長く設定されている。したがって、通話と充電により高温となる部分は、メイン基板領域３２とレシーバ領域３１である。なお、メイン基板は後述する中央制御部１０を構成する素子等が実装される回路基板である。
【００１５】
図２は、携帯電話機１の概念的な内部ブロック図である。この図において、携帯電話機１は、タッチパネル３、表示部４、インカメラ７、無線通信部８、音声入出力部９、中央制御部１０、電源・充電回路１１、操作部１２、アウトカメラ１３、温度センサー１５、加速度センサー１６、電池パック２０を備える。なお、携帯電話機１を構成する実際の回路や機器は、通常、主にベースバンドブロックと無線ブロックとに分けられる。このようにブロック分けされた場合、図２における無線通信部８が無線ブロックに属し、タッチパネル３、表示部４、インカメラ７、中央制御部１０、操作部１２、及びアウトカメラ１３等がベースバンドブロックに属する。
【００１６】
無線通信部８は、アンテナ８ａを介して最寄りの基地局（図示略）等との間で無線によるデジタルデータの送受信を行う。デジタルデータには、電話の着呼や発呼の情報および音声通話の情報が含まれる。この無線通信部８は、中央制御部１０からの制御に従って、上記のデジタルデータの送信や受信を行う。例えば、衆網基地局や家庭用親機からの無線信号は、無線通信部８によって復調され出力される。この無線通信部８からの出力信号は、音声信号又は制御信号としてベースバンドブロックの中央制御部１０に入力される。このうち、音声信号は、音声処理されてスピーカ５ａ等から音声として出力される。制御信号は、ベースバンドブロック内の処理に用いられる。なお、アンテナ８ａは、公知のダイバーシティ（Diversity）やＭＩＭＯ（Multiple input output）などのマルチアンテナ技術に対応する場合には、複数設けられる。
【００１７】
音声入出力部９は、中央制御部１０からの制御により、マイク６で拾った音声信号をデジタルデータに変換して中央制御部１０に出力したり、中央制御部１０から出力されたデジタルの音声信号をアナログ信号に変換してスピーカ５ａから拡声したりする。マイク６やスピーカ５ａは電話の送受話用であるが、スピーカ５ａは、さらに電話の着信音等（或いはムービー再生等に伴う音声）の出力に用いられてもよい。なお、前述したように受話用のスピーカ５ａとは別に、筐体２の裏面にはスピーカ５ｂが設けられており、音声入出力部９を介してこのスピーカ５ｂから着信音等の出力を行ってもよい。また、ハンズフリー通話の際には、スピーカ５ａからの音声の出力に代えて、或いはスピーカ５ａからの音声の出力に加えて、裏面のスピーカ５ｂから音声を出力するようにしてもよい。
【００１８】
なお、ハンズフリー通話とは、携帯電話機１を持たなくても、例えば携帯電話機１を机上に置いたままの状態やポケットに入れたままの状態で、通話が可能となる通話時の動作モードであり、通常ユーザのキー操作によってこのハンズフリー通話の動作モードに切り替わる。またイヤホン通話は、携帯電話機１にイヤホンが接続されたときに可能となる通話時の動作モードであり、このイヤホン通話では、イヤホンが受話器の代りとなる。これらイヤホン通話とハンズフリー通話では、ユーザはユーザの耳を受話器（この場合、スピーカ５ａ）の位置（受話器の近傍含む）に接触又は接近させる必要がない。これに対して、本体通話では、ユーザはユーザの耳を受話器の位置に接触又は接近させる必要がある。
【００１９】
表示部４は、先にも説明したとおり、その前面に、人体の一部（例えば、手の指）の接触又は接近を検知できるタッチパネル３を併設している。タッチパネル３は、例えば、圧電方式のものであってもよいし、静電容量方式のものであってもよい。
【００２０】
電池パック２０は、充電可能な二次電池である電池セル２１を備える。
電源・充電回路１１は、電池パック２０の電池セル２１の電力から携帯電話機１の動作に必要な各種電源電圧を発生して各部に供給する電源回路としての機能と、バッテリ充電用端子１７を介して外部から供給される電力によって電池セル２１の充電を行う充電回路としての機能と、を有する。なお、電源・充電回路１１の充電動作は中央制御部１０によって制御される（詳細後述する）。
【００２１】
操作部１２は、前述した電源ボタンやキー１２ａ，１２ｂ，１２ｃなどの操作の入力処理を行う。なお、タッチパネル３は、ダイヤル入力、文字入力、コマンド入力などを行うためのもので、中央制御部１０は、操作部１２とこのタッチパネル３からの入力操作信号に応じた処理を実行する。
【００２２】
温度センサー１５は、筐体２内に実装されて携帯電話機１の温度（特に、ユーザの人体が接触する表面温度）を検知するための温度検出手段である。
加速度センサー１６は、筐体２内に実装されて携帯電話機１に生じる加速度（特に携帯電話機１をユーザが持ち上げた時に生じる加速度）を検出するセンサーであり、携帯電話機１が持ち上げられたことを検知するための持ち上げ検出手段を構成する。
【００２３】
中央制御部１０は、演算処理装置（以下、ＣＰＵと表記する。）１０ａ、読み出し専用半導体メモリ（以下、ＲＯＭと表記する。）１０ｂ、高速半導体メモリ（以下、ＲＡＭと表記する。）１０ｃ、書き換え可能な不揮発性半導体メモリ（フラッシュメモリやＥＥＰＲＯＭなど。以下、ＥＰＲＯＭと表記する。）１０ｄ、ならびに不図示の周辺回路を含むプログラム制御方式の制御要素である。この中央制御部１０は、あらかじめＲＯＭ１０ｂやＥＰＲＯＭ１０ｄに格納されている制御プログラムをＲＡＭ１０ｃにロードしてＣＰＵ１０ａで実行することにより、各種の処理を逐次に実行して、この携帯電話機１の全体動作を統括制御する。
【００２４】
次に、インカメラ７は、筐体２における表示部４と同じ面（すなわち主面）に設けられ、例えば携帯電話機１を持っている利用者自身の顔を含む静止画又は動画を撮像可能である。またアウトカメラ１３は、筐体２の裏面（主面と反対側の面）に設けられ、他者や風景などの静止画又は動画を撮像するためのカメラである。利用者は、キー１２ａ，１２ｂ，１２ｃやタッチパネル３を操作することによって、インカメラ７やこのアウトカメラ１３による静止画や動画の撮影等のアプリケーションを作動させることが可能となっている。また図示省略しているが、筐体２における例えば右側の側面には、利用者が操作してこれらカメラによる撮影のシャッター操作等を容易に実行するためのシャッターボタンが設けられていてもよい。
【００２５】
そして、撮影された静止画や動画のデータ、及び動画等と同期して記録された音声データは、例えばＥＰＲＯＭ１０ｄ、或いは前述した装着部に装着されたカード型メモリに記録され、表示部４やスピーカ５ａ等によって再生可能である。また、表示部４には、この携帯電話機１とは異なる他の機器で撮影された静止画や動画（例えば、ＥＰＲＯＭ１０ｄや前記カード型メモリに記録されたもの）も再生可能である。
【００２６】
また、携帯電話機１には、音声データを送受信して通話する音声通話機能のほか、ＴＶ（テレビ）電話機能が備えられていてもよい。更に、携帯電話機１には、電子メール機能、インターネット接続機能、ＴＶ放送表示機能、スケジュール管理機能、電卓機能、アラーム(目覚まし)機能、音楽データ再生機能、などが備えられていてもよいことは、いうまでもない。
【００２７】
次に、中央制御部１０が実行する充電時の温度保護制御について説明する。
中央制御部１０は、図３に示すように、通話も充電もしていない単なる待ち受け状態（ステップＳ１）から充電が開始されると（ステップＳ２）、ステップＳ３以降の制御処理を実行するプログラム構成となっている。即ち、充電が開始されると、通話が開始されたか否か判定し（ステップＳ３）、通話が開始されたならば温度保護制御（後述する）を開始し（ステップＳ４）、その後通話が終了されると温度保護制御を終了する（ステップＳ５、Ｓ６）。一方、通話が開始されない場合（ステップＳ３でＮＯの場合）と、ステップＳ６で温度保護制御を終了した場合には、充電が完了したか否か判定し（ステップＳ７）、充電が完了したならば待ち受け状態に戻る（ステップＳ８）。充電が完了していない場合（ステップＳ７でＮＯの場合）には、通話開始を判定するステップＳ３に戻って処理を繰り返す。
【００２８】
なお、温度保護制御により通話終了時に充電が停止されていた場合、ステップＳ５では、通話が終了したことに加えて、停止されていた充電が後述のステップＳ２５（図４）により再開されたことを条件としてステップＳ６に進む構成とすることが望ましい。このようにすれば、通話終了により確実にステップＳ２５が実行されて停止していた充電が再開される。
また、ステップＳ７における充電完了の判定結果が肯定的（ＹＥＳ）になる場合としては、二次電池である電池セル２１が満充電状態となって充電完了となる場合と、ユーザの操作などによって満充電状態でないのに充電完了となる場合（例えば、バッテリ充電用端子１７から外部電力を供給すべくバッテリ充電用端子１７に接続されていた充電器のケーブルをユーザが外した場合）とがある。
【００２９】
以上説明した図３の制御処理によれば、充電中に通話が開始されると温度保護制御の実行が開始され、充電中に通話が終了すると温度保護制御が終了して温度保護制御が実行されなくなる。なお、図３のフローチャートでは図示していないが、通話中に充電が開始された場合にも温度保護制御を開始する構成としてもよく、また通話中に充電が完了した場合にも温度保護制御を終了する構成としてもよい。通話のみによる発熱でそれほど高温になることはなく、特に通話と充電が同時に行われた場合に、ユーザが不快感を感じるような高温になる可能性があるからである。
【００３０】
次に、中央制御部１０が実行する温度保護制御を説明する。
前述したステップＳ４（図３）が実行されて温度保護制御の開始が決定されると、中央制御部１０は、図４に示す温度保護制御のルーチンを実行する動作を、前述したステップＳ６（図３）が実行されて温度保護制御の終了が決定されるまで、例えば規定のタイマ割込み周期で繰り返し実行する。
【００３１】
この温度保護制御のルーチンの実行が開始されると、まずステップＳ１１で通話終了か否か判定し、通話が終了していればステップＳ１２で加速度センサーをオフしてステップＳ１３に進み、通話が終了していなければステップＳ１４に進む。
ステップＳ１４に進むと、イヤホン/ハンズフリー通話か否か判定し、イヤホン通話又はハンズフリー通話である場合（即ち、携帯電話機１の高温となる部分に人体を接触させない非接触使用状態である場合）には、ステップＳ１５で加速度センサー１６をオンした後、ステップＳ１６に進む。ステップＳ１４の判定結果が否定的な場合（イヤホン通話でもハンズフリー通話でもない場合）には、ユーザの耳を携帯電話機１における受話器（スピーカ５ａ）の位置（レシーバ領域３１）に接触又は接近させて通話する本体通話状態（即ち、携帯電話機１の高温となる部分に人体を接触させる可能性のある接触使用状態）であるとして、ステップＳ１８で加速度センサー１６をオフしてステップＳ１７に進む。
【００３２】
ステップＳ１６では、加速度センサー１６の出力に基づいて携帯電話機１が持ち上げられたか否か判定し、持ち上げられたと判定された場合にはステップＳ１７に進み、持ち上げられたと判定されない場合にはステップＳ１３に進む。
なお、加速度センサーをオンするとは、加速度センサーが機能する状態とすることを意味し、加速度センサーをオフするとは、加速度センサーが機能しない状態（例えば加速度センサーへの電力供給を停止した状態）とすることを意味する。
【００３３】
ステップＳ１３に進むと、温度保護機能をオフして（即ち、温度保護機能を無効として）ステップＳ２１に進む。ステップＳ１７に進むと、温度保護機能をオンして（即ち、温度保護機能を有効として）ステップＳ２１に進む。
ステップＳ２１では、充電完了したか否か判定し、充電完了であれば、高温の場合の充電停止（後述するステップＳ２４）等を実行する必要がないので、リターンする（即ち、このルーチンの１回の実行を終了して、例えばタイマ割込み時のステップに戻る）。
【００３４】
ステップＳ２１で充電完了でないと判定された場合（充電完了でない状態で充電が停止されている状態含む）には、ステップＳ２２に進んで温度保護機能がオンされているか否か判定し、温度保護機能がオンされている場合（即ち、温度保護機能が有効とされいている場合）にはステップＳ２３に進み、温度保護機能がオフされている場合（温度保護機能が無効とされている場合）にはステップＳ２５に進む。
【００３５】
ステップＳ２３では、携帯電話機１の温度（特に、受話器としてのスピーカ５ａが配置されたレシーバ領域３１の表面温度）が閾値より高いか判定し、閾値より高いと判定した場合にはステップＳ２４で充電停止を実行し、閾値より高くないと判定した場合にはステップＳ２５に進む。なお、充電停止とは、充電完了でない状態であっても、充電回路（本例では、電源・充電回路１１）を制御して充電を停止することを意味する。この充電停止により、充電による発熱が阻止される。
ステップＳ２５に進むと、充電中である場合には充電を継続し、充電中でない場合（充電停止の状態）には充電を再開する。ステップＳ２４、Ｓ２５を経るとリターンする。
【００３６】
なお、ステップＳ２３の閾値は、ユーザの人体が携帯電話機１に接触又は接近することによって、やけど（低温やけど含む）したり、熱過ぎて不快に感じたりすることが防止できる値に設定されている。特に本例の場合には、受話器としてのスピーカ５ａが配置されたレシーバ領域３１にユーザが耳を接触又は接近させても、やけどが防止されるのはもちろんのこと、熱過ぎて不快に感じたりすることがない上限値に設定されている。
【００３７】
以上説明した図４の制御処理（温度保護制御の処理）によれば、通話中に本体通話（接触使用状態）か或いはイヤホン/ハンズフリー通話（非接触使用状態）かを判定する使用状態判定ステップ（ステップＳ１４）が実行される。また、充電完了でない状態では、温度保護機能が有効である場合において携帯電話機１（端末装置）の温度が人体を高温から保護するための閾値（規定値）に比べて高くなると充電を停止し、そうでなければ充電を継続又は再開する温度保護ステップ（ステップＳ２２、Ｓ２３、Ｓ２４、Ｓ２５）が実行される。また、使用状態判定ステップにより非接触使用状態であると判定されていて、端末装置が持ち上げられたことが検知されていない場合には、温度保護機能を無効とし、使用状態判定ステップにより非接触使用状態であると判定されている状態で、端末装置が持ち上げられたことが検知された場合には、温度保護機能を有効とし、使用状態判定ステップにより接触使用状態であると判定されている場合には、温度保護機能を有効とする充電制御ステップ（ステップＳ１３、Ｓ１６、Ｓ１７）が実行される。
【００３８】
このため、本実施形態によれば、イヤホン/ハンズフリー通話（非接触使用状態）では、端末装置が持ち上げられない限り温度保護機能は無効とされ、端末装置の温度が前記閾値（規定値）を超える高温になっても充電停止が実行されることはなく充電が継続されるため、温度保護機能による充電停止によって充電器を接続しているにもかかわらず通話不能になる不具合は生じない。また、本体通話（接触使用状態）の場合や、イヤホン/ハンズフリー通話（非接触使用状態）において端末装置が持ち上げられた場合は、温度保護機能は有効とされるが、端末装置の温度が前記閾値（規定値）を超えなければ、ステップＳ２５が実行されて充電は継続される。また、温度保護機能によりステップＳ２４で充電が停止されても、本体通話からイヤホン/ハンズフリー通話に戻された場合や、通話が終了した場合や、温度が閾値よりも低下した場合には、図４の処理において、やはりステップＳ２５が実行されることになり、充電が再開される。このため、充電中の通話ができなくなる不具合の発生可能性を格段に低減することができる。
【００３９】
しかも、本体通話（接触使用状態）の場合や、イヤホン/ハンズフリー通話（非接触使用状態）において端末装置が持ち上げられた場合は、温度保護機能は有効とされるため、端末装置表面に接触するユーザの人体（特に熱に敏感な耳）が熱から保護され、ユーザの接触時のやけどはもちろんのこと熱による不快感も回避できる。
【００４０】
特に本実施形態では、イヤホン/ハンズフリー通話（非接触使用状態）を本体通話（接触使用状態）に切り替えようとして、ユーザが携帯電話機１（端末装置）を持ち上げた時点で、温度保護機能が有効とされる。つまり、本体通話（接触使用状態）に切り替わる前に、ユーザの本体通話（接触使用状態）への切り替え操作を察知して事前に温度保護機能が有効とされる。これにより、充電しながらイヤホン/ハンズフリー通話（非接触使用状態）をしていて、この充電と通話による発熱で端末装置表面（特にレシーバ領域３１）が高温（人体、特に耳に接触すると熱いと不快に感じられる程度以上の温度）になっている場合に、ユーザが本体通話（接触使用状態）に切り替えて受話器（スピーカ５ａ）が配置されたレシーバ領域３１に耳を当てたときに、ユーザが熱く不快に感じるといった不具合が回避される。この場合、本体通話（接触使用状態）に切り替えようとして、ユーザが携帯電話機１（端末装置）を持ち上げた時点で、温度保護機能が有効とされ、この温度保護機能（前述した温度保護制御による機能）によって充電停止が事前に実行されるからである。
【００４１】
また本実施形態では、当該携帯電話機１において当該携帯電話機１をユーザが持ち上げるためにユーザが手で持つ部分は、筐体２の下部（即ち、電池パック領域３３の位置）であり、受話器５ａが配置される位置（即ち、レシーバ領域３１の位置）に比べて、発熱部であるメイン基板領域３２からの距離が長く設定されている。このため、例えば前述したように充電しながらイヤホン/ハンズフリー通話（非接触使用状態）をしていた場合でも、ユーザが手に持つ部分の表面温度は比較的低く保たれ、ユーザが携帯電話機１を持ち上げるために手に持つことによって熱く不快に感じるなどの不具合も回避される。
【００４２】
（他の実施形態）
次に本発明の他の実施形態について説明する。
まず、前述の第１実施形態では、イヤホン/ハンズフリー通話（非接触使用状態）において、端末装置が持ち上げられない限り温度保護機能（ユーザの人体を熱から保護する機能）は無効とされるが、端末装置自体が過熱によって損傷するのを防止する等のために、イヤホン/ハンズフリー通話（非接触使用状態）でも温度がそのための別の閾値（温度保護機能の閾値よりも高い規定値）を超えた場合には充電を強制停止する他の保護機能を設けてもよい。
また第１実施形態では、端末装置の動作の代表例として通話を例に挙げて説明したが、他の動作、例えばデータ通信などを通話と同様に扱って充電制御を行う構成でもよい。
【００４３】
また、本発明における温度保護機能の閾値（規定値）は一定値である態様に限定されない。例えば、イヤホン/ハンズフリー通話の状態（非接触使用状態）から端末装置が持ち上げられた場合の温度保護機能と、本体通話（接触使用状態）に切り替わった場合の温度保護機能とで、前記閾値を異ならせてもよい。具体的には、例えば、長時間の接触による低温やけど等を防止するために本体通話（接触使用状態）に切り替わった場合の温度保護機能における前記閾値を、イヤホン/ハンズフリー通話の状態（非接触使用状態）から端末装置が持ち上げられた場合の温度保護機能よりも低い値に設定するようにしてもよい。
【００４４】
また、前述の第１実施形態では、本発明の接触使用状態及び非接触使用状態として、通話における本体通話とイヤホン/ハンズフリー通話を例に挙げたが、これに限定されない。例えば端末装置が、音声認識により非接触で操作入力を行う音声入力モードと、端末装置表面のタッチパネルやキーにより操作入力を行う一般的な入力モード（以下、タッチ入力モードという）とを備えている場合、このタッチ入力モードが接触使用状態であり、前記音声入力モードが非接触使用状態であるとして本発明を適用することもできる。
【００４５】
また、接触使用状態といっても、完全な接触に限らず、端末装置の熱の影響を受ける程度の僅かな距離に人体を接近させて使用する状態が含まれてもよい。また、接触使用状態は、端末装置の特定の箇所（例えば、充電により高温になる部分、或いはこの部分を含む範囲）にのみ接触する可能性のある使用状態であってもよい。また、非接触使用状態は、端末装置の特定の箇所（例えば、充電により高温になる部分、或いはこの部分を含む範囲）にのみ接触しない使用状態であってもよい。
【００４６】
また、前述の第１実施形態では、前述したように、必要でないときには適宜加速度センサーをオフして省エネを図っているが、これに限定されず、例えば加速度センサーは常にオンしておく態様でもよい。
また、以上説明した実施形態では携帯電話機を例に挙げて説明したが、本発明は携帯電話機以外の装置、例えば、ＰＤＡ（携帯情報端末）、タブレットＰＣ、音楽プレイヤ、ゲーム機等、二次電池を搭載した各種の端末装置に適用可能である。
【００４７】
以下、本発明の特徴を付記する。
前記の各実施形態の一部又は全部は、以下の付記のようにも記載され得るが、以下には限られない。なお、図５（ａ）は付記１の構成を説明する機能ブロック図であり、図５（ｂ）は付記１の構成に対する比較例（高温になると充電を停止する単純な構成）である。
【００４８】
（付記１）
二次電池によって電力供給が可能な端末装置であって、
当該端末装置の温度を検知するための温度検出手段と、
当該端末装置が持ち上げられたことを検知するための持ち上げ検出手段と、
当該端末装置の高温となる部分に人体を接触させる可能性のある接触使用状態か、或いは前記高温となる部分に人体を接触させない非接触使用状態かを判定する使用状態判定手段と、
温度保護機能が有効である場合において、前記二次電池の充電中に、前記温度検出手段により検知される温度が人体を高温から保護するための規定値に比べて高くなると当該充電を停止する温度保護手段と、
前記使用状態判定手段により非接触使用状態であると判定されていて、前記持ち上げ検出手段により当該端末装置が持ち上げられたことが検知されていない場合には、前記温度保護機能を無効とし、前記使用状態判定手段により非接触使用状態であると判定されている状態で、前記持ち上げ検出手段により当該端末装置が持ち上げられたことが検知された場合には、前記温度保護機能を有効とし、前記使用状態判定手段により接触使用状態であると判定されている場合には、前記温度保護機能を有効とする充電制御手段と、
を備えることを特徴とする端末装置。
【００４９】
（付記２）
前記接触使用状態は、ユーザがユーザの耳を当該端末装置における受話器の位置に接触又は接近させて通話を行う本体通話状態であり、前記非接触使用状態は、イヤホンによる通話又はハンズフリー通話であることを特徴とする付記１に記載の端末装置。
【００５０】
（付記３）
前記当該端末装置において当該端末装置をユーザが持ち上げるためにユーザが手で持つ部分は、前記受話器の位置に比べて、当該端末装置内の発熱部からの距離が長く設定されていることを特徴とする付記２に記載の端末装置。
【００５１】
（付記４）
二次電池によって電力供給が可能な端末装置における前記二次電池の充電制御方法であって、
当該端末装置の高温となる部分に人体を接触させる可能性のある接触使用状態か、或いは前記高温となる部分に人体を接触させない非接触使用状態かを判定する使用状態判定ステップと、
温度保護機能が有効である場合において、前記二次電池の充電中に、当該端末装置の温度が人体を高温から保護するための規定値に比べて高くなると当該充電を停止する温度保護ステップと、
前記使用状態判定ステップにより非接触使用状態であると判定されていて、当該端末装置が持ち上げられたことが検知されていない場合には、前記温度保護機能を無効とし、前記使用状態判定ステップにより非接触使用状態であると判定されている状態で、当該端末装置が持ち上げられたことが検知された場合には、前記温度保護機能を有効とし、前記使用状態判定ステップにより接触使用状態であると判定されている場合には、前記温度保護機能を有効とする充電制御ステップと、
を有することを特徴とする充電制御方法。
【００５２】
（付記５）
二次電池によって電力供給が可能な端末装置におけるコンピュータに対して、
当該端末装置の高温となる部分に人体を接触させる可能性のある接触使用状態か、或いは前記高温となる部分に人体を接触させない非接触使用状態かを判定する使用状態判定機能と、
前記二次電池の充電中に、当該端末装置の温度が人体を高温から保護するための規定値に比べて高くなると当該充電を停止する温度保護機能と、
前記使用状態判定機能により非接触使用状態であると判定されていて、当該端末装置が持ち上げられたことが検知されていない場合には、前記温度保護機能を無効とし、前記使用状態判定機能により非接触使用状態であると判定されている状態で、当該端末装置が持ち上げられたことが検知された場合には、前記温度保護機能を有効とし、前記使用状態判定機能により接触使用状態であると判定されている場合には、前記温度保護機能を有効とする充電制御機能と、
を実現させるためのプログラム。
【符号の説明】
【００５３】
１  携帯電話機（端末装置）
２  筐体
１０  中央制御部（使用状態判定手段、温度保護手段、充電制御手段）
１５  温度センサー（温度検出手段）
１６  加速度センサー（持ち上げ検出手段）
２１  電池セル（二次電池）
３１  レシーバ領域（高温となる部分）
３２  メイン基板領域（高温となる部分）
【図１】
2013153244.tif 000003
【図２】
2013153244.tif 000004
【図３】
2013153244.tif 000005
【図４】
2013153244.tif 000006
【図５】
2013153244.tif 000007